(57)【要約】【課題】より高い均一性を有する光を発する発光装置を提供する。【解決手段】この発光装置は、基板と、その基板上に設けられ、光源と光源からの光を発する線状の透明導光部材とを有する１以上の発光ユニットとを備える。【選択図】図１
2015128011.tif 000002
【特許請求の範囲】
【請求項１】
光源と、
前記光源からの光を発する線状の透明導光部材と
を有する発光ユニット。
【請求項２】
前記透明導光部材は、その延在方向と交差する端面を含み、
前記光源は、前記透明導光部材の端面と対向して配置されている
請求項１記載の発光ユニット。
【請求項３】
前記透明導光部材は屈折力を有し、前記端面から入射した光が自らの延在方向に沿った側面から射出される
請求項２記載の発光ユニット。
【請求項４】
前記透明導光部材は、その延在方向に沿った側面を含み、
前記光源は、前記透明導光部材の側面と対向して配置されている
請求項１記載の発光ユニット。
【請求項５】
前記透明導光部材は屈折力を有し、前記側面から入射した光が再び前記側面から射出される
請求項４記載の発光ユニット。
【請求項６】
前記透明導光部材は、その延在方向と交差する断面が円形以外の形状を有するものである
請求項１記載の発光ユニット。
【請求項７】
前記断面の形状は、一対の頂部と前記一対の頂部の間に挟まれた谷部とを含む
請求項６記載の発光ユニット。
【請求項８】
前記断面の形状は、直線部と曲線部とを含む
請求項６記載の発光ユニット。
【請求項９】
基板と、
前記基板上に設けられ、光源と前記光源からの光を発する線状の透明導光部材とを有する１以上の発光ユニットと
を備えた発光装置。
【請求項１０】
前記透明導光部材における長手方向と交差する断面は、一対の頂部と前記一対の頂部の間に挟まれた谷部とを含む形状、または直線部と曲線部とを含む形状である
請求項９記載の発光装置。
【請求項１１】
前記曲線部は前記基板と対向している
請求項１０記載の発光装置。
【請求項１２】
前記基板における前記発光ユニットと対向する上面は反射面である
請求項９記載の発光装置。
【請求項１３】
前記透明導光部材は、その延在方向と交差する端面を含み、
前記光源は、前記透明導光部材の端面と対向して配置されている
請求項９記載の発光装置。
【請求項１４】
前記透明導光部材は屈折力を有し、前記端面から入射した光が自らの延在方向に沿った側面から射出される
請求項１３記載の発光装置。
【請求項１５】
液晶パネルと、前記液晶パネルに対し光を照射する発光装置とを備え、
前記発光装置は、
基板と、
前記基板上に設けられ、光源と前記光源からの光を発する線状の透明導光部材とを有する１以上の発光ユニットと
を有する
表示装置。
【請求項１６】
発光装置を備え、
前記発光装置は、
基板と、
前記基板上に設けられ、光源と前記光源からの光を発する線状の透明導光部材とを有する１以上の発光ユニットと
を有する
照明装置。
【発明の詳細な説明】
【技術分野】
【０００１】
本開示は、面光源として利用され得る発光装置、この発光装置に用いられる発光ユニット、ならびにこの発光ユニットを備えた表示装置および照明装置に関する。
【背景技術】
【０００２】
液晶表示装置のバックライトまたは照明装置などに、白色ＬＥＤ（Light Emitting Diode）の光源、または青色ＬＥＤと蛍光体とを組み合わせて白色化した光源を用いた面発光装置が採用されている。例えば特許文献１には、導光板上に配列された複数の柱状レンズと、導光板の端面に光を入射する光源とを備えた導光ユニットおよびバックライトモジュールが開示されている。
【先行技術文献】
【特許文献】
【０００３】
【特許文献１】特開２０１０−６１１２８号明細書
【発明の概要】
【発明が解決しようとする課題】
【０００４】
このように面光源として用いられる発光装置では、一般に、面内において輝度むらや色の偏りの少ない光を効率よく発することが強く望まれる。
【０００５】
本開示はかかる問題点に鑑みてなされたもので、その目的は、面内においてより高い均一性を有する光を高効率で発することの可能な発光装置、この発光装置に用いられる発光ユニット、ならびにこの発光ユニットを備えた表示装置および照明装置を提供することにある。
【課題を解決するための手段】
【０００６】
本開示の一実施形態としての発光ユニットは、光源と、その光源からの光を発する線状の透明導光部材とを有する。
【０００７】
本開示の一実施形態としての発光装置は、基板と、その基板上に設けられ、光源とその光源からの光を発する線状の透明導光部材とを有する１以上の発光ユニットとを備えたものである。
【０００８】
本開示の一実施形態としての表示装置および照明装置は、上記発光装置を備えたものである。
【０００９】
本開示の一実施形態としての発光ユニットでは、光源からの光を発する線状の透明導光部材を含むようにしたので、少ない数の光源であっても、比較的広範囲に、かつ、より均質な照明光が得られる。また、本開示の一実施形態としての発光装置、表示装置および照明装置では、少ない数の発光ユニットであっても、広範囲に亘る照明光が効率的に得られる。
【発明の効果】
【００１０】
本開示の一実施形態としての発光ユニットによれば、光源からの光を発する線状の透明導光部材を含むようにしたので、少ない数の光源であっても、比較的広範囲に光を照らすことができる。
【００１１】
また、本開示の一実施形態としての発光装置および照明装置では、上記発光ユニットを含むようにしたので、軽量化、薄型化を図りつつ、広範囲に亘って均質化された照明光が得られる。
【００１２】
また、本開示の一実施形態としての表示装置によれば、上記発光ユニットを含むようにしたので優れた表示性能を発揮することができる。なお、本開示の効果はこれに限定されるものではなく、以下の記載のいずれの効果であってもよい。
【図面の簡単な説明】
【００１３】
【図１】本開示における第１の実施の形態に係る発光装置の全体構成例を表す斜視図である。
【図２】図１に示した発光装置の要部の構成を表す断面図である。
【図３】図１に示した導光部材の要部の構成を表す断面図である。
【図４】図１に示した第１の実施の形態における第１の変形例に係る導光部材を表す断面図である。
【図５】図１に示した第１の実施の形態における第２の変形例に係る導光部材を表す平面図である。
【図６】図１に示した第１の実施の形態における第３の変形例に係る導光部材を表す平面図である。
【図７】図１に示した第１の実施の形態における第４の変形例に係る導光部材を表す平面図である。
【図８】図１に示した第１の実施の形態における第５の変形例に係る導光部材を表す平面図である。
【図９】図１に示した第１の実施の形態における第６の変形例に係る導光部材を表す平面図である。
【図１０】本開示における第２の実施の形態に係る発光装置の要部構成を表す断面図である。
【図１１】本開示の第３の実施の形態に係る表示装置の外観を表す斜視図である。
【図１２】図１１に示した本体部を分解して表す斜視図である。
【図１３】図１２に示したパネルモジュールを分解して表す斜視図である。
【図１４Ａ】本開示の表示装置を搭載した電子ブック（適用例１）の外観を表す斜視図である。
【図１４Ｂ】本開示の表示装置を搭載した他の電子ブック（適用例１）の外観を表す斜視図である。
【図１５】本開示の表示装置を搭載したスマートフォン（適用例２）の外観を表す斜視図である。
【図１６Ａ】本開示の表示装置を搭載したデジタルカメラ（適用例３）の前方からの外観を表す斜視図である。
【図１６Ｂ】本開示の表示装置を搭載したデジタルカメラ（適用例３）の後方からの外観を表す斜視図である。
【図１７】本開示の表示装置を搭載したノート型パーソナルコンピュータ（適用例４）の外観を表す斜視図である。
【図１８】本開示の表示装置を搭載したビデオカメラ（適用例５）の外観を表す斜視図である。
【図１９Ａ】本開示の表示装置を搭載した携帯電話機（適用例６）の閉じた状態の外観を表す正面図、左側面図、右側面図、上面図および下面図である。
【図１９Ｂ】本開示の表示装置を搭載した携帯電話機（適用例６）の開いた状態の外観を表す正面図および側面図である。
【図２０】本開示の発光装置を備えた第１の照明装置（適用例７）の外観を表す斜視図である。
【図２１】本開示の発光装置を備えた第２の照明装置（適用例８）の外観を表す斜視図である。
【図２２】本開示の発光装置を備えた第３の照明装置（適用例９）の外観を表す斜視図である。
【図２３】実験例１−１における発光強度分布を表す特性図である。
【図２４】実験例１−２における発光強度分布を表す特性図である。
【図２５】実験例２−１における発光強度分布を表す特性図である。
【図２６】実験例２−２における発光強度分布を表す特性図である。
【発明を実施するための形態】
【００１４】
以下、本開示の実施の形態について図面を参照して詳細に説明する。なお、説明は以下の順序で行う。
１．第１の実施の形態およびその変形例（発光装置：導光部材の端面から光を入射する態様）
２．第２の実施の形態およびその変形例（発光装置：導光部材の側面から光を入射する態様）
３．第３の実施の形態（表示装置；液晶表示装置）
４．表示装置の適用例１〜６
５．照明装置の適用例７〜９
６．実験例
【００１５】
＜第１の実施の形態＞
［発光装置１の構成］
図１は、本開示の第１の実施の形態としての発光装置１の全体構成を表したものである。図２は、発光装置１の要部断面を拡大して表すものである。発光装置１は、例えば、透過型の液晶パネルを背後から照明するバックライトとして、あるいは室内等において照明装置として用いられるものであり、光源１０、導光部材２０、反射部材４０、および光学シート５０を有している。ここで、光源１０および導光部材２０は、発光ユニットを構成する。
【００１６】
本明細書では、光学シート５０，導光部材２０および反射部材４０の積層方向をＺ方向（前後方向）とし、導光部材２０の主面（最も広い面）において左右方向をＸ方向、上下方向をＹ方向とする。なお、発光装置１では、例えばＸ方向において光源１０と導光部材２０とが並んでいる。
【００１７】
光源１０は点光源であり、具体的には白色ＬＥＤ（Light Emitting Diode；発光ダイオード）により構成されている。光源１０は、例えば、パッケージ１１（図１には図示せず、図２参照。）内に封止されると共に光源基板１２に実装されており、導光部材２０の光入射面２０Ａ（図１では、例えば長手方向（Ｘ方向）の端面）と対向配置されている。光源基板１２は、例えば細長い直方体の形状を有し、光源基板１２の長手方向に一列に並べられている。
【００１８】
導光部材２０は、例えば左右方向（Ｘ方向）を長手方向として延在する線状あるいは棒状の部材である。導光部材２０は可視光が透過可能な透明材料からなり、具体的には、例えば、ポリカーボネート樹脂（ＰＣ）またはアクリル樹脂（例えば、ＰＭＭＡ（ポリメチルメタクリレート））などの透明熱可塑性樹脂を主に含んで構成されている。導光部材２０は、例えば反射部材４０と光学シート５０との間に複数設けられ、上下方向（Ｙ方向）に並んでいる。
【００１９】
導光部材２０は屈折力を有しており、光入射面２０Ａから入射した光はＸ方向に沿った側面から射出される。図３に、導光部材２０のＹＺ断面を示す。図３に示したように導光部材２０は、そのＹＺ断面において、例えば光学シート５０と対向する直線部分および反射部材４０と対向する曲線部分を含んでいる。すなわち、導光部材２０の側面は、例えば光学シート５０と対向してＸ方向へ延在する平面状の表面２０Ｂと、反射部材４０と対向してＸ方向へ延在する曲面状の裏面２０Ｄと、それらを繋ぐ接続面２０Ｃとを含んでいる。導光部材２０のＹＺ断面は、Ｘ方向において同一であるとよい。押し出し方式による導光部材２０の成形が可能となり、製造性に優れるからである。なお、導光部材２０の製造にあたっては、押出成形のほか、射出成形も採用可能である。また、ＹＺ断面における裏面２０Ｄの輪郭は、例えば点ＣＰを中心とする長径Ｗおよび短径Ｒの楕円の一部に相当する形状を有する。長径Ｗは例えば２２ｍｍであり、短径Ｒは例えば６ｍｍである。その場合、導光部材２０の高さ２０Ｔは、例えば４．５ｍｍである。導光部材２０の表面２０Ｂには、導光部材２０内を伝播する光を散乱し、均一化させる散乱部として、例えば、散乱剤がパターン状に印刷されているとよい。なお、散乱部としては、散乱剤に代えて、フィラーを含んだ部位を設けるほか、表面を部分的に粗面にすることも可能である。あるいは、導光部材２０の表面２０Ｂには反射膜を設け、表面２０Ｂ以外の側面、すなわち、裏面２０Ｄおよび接続面２０Ｃのみから光を出射するようにしてもよい。さらに、裏面２０Ｄに拡散部材３０を設けるようにしてもよい。導光部材２０は、それぞれ、例えば反射部材４０等に固定されたホルダ２１（図１）によって保持されている。
【００２０】
反射部材４０は、導光部材２０の裏面２０Ｄと対向して設けられた反射面４０Ｓ（（図２）を有する板状またはシート状部材であり、光源１０から導光部材２０へ入射したのち裏面２０Ｄから出射した光を反射し、光学シート５０へ導くものである。反射部材４０は、例えば、反射、拡散、散乱などの機能を有しており、これにより光源１０からの光を効率的に利用し、正面輝度を高めることが可能となっている。
【００２１】
反射部材４０は、例えば、発泡ＰＥＴ（ポリエチレンテレフタレート），銀蒸着フィルム，多層膜反射フィルム，または白色ＰＥＴにより構成されている。反射部材４０に正反射（鏡面反射）の機能を持たせる場合には、反射部材４０の表面は、銀蒸着，アルミニウム蒸着，または多層膜反射などの処理がなされたものであることが好ましい。反射部材４０に微細形状を付与する場合は、反射部材４０は、熱可塑性樹脂を用いた熱プレス成型，または溶融押し出し成型などの手法で一体的に形成されていてもよいし、また、例えばＰＥＴなどからなる基材上にエネルギー線（たとえば紫外線）硬化樹脂を塗布したのち、そのエネルギー線硬化樹脂に形状を転写して形成されていてもよい。ここで、熱可塑性樹脂としては、例えば、ポリカーボネート樹脂、ＰＭＭＡ（ポリメチルメタクリレート樹脂）などのアクリル樹脂、ポリエチレンテレフタレートなどのポリエステル樹脂、ＭＳ（メチルメタクリレートとスチレンの共重合体）などの非晶性共重合ポリエステル樹脂、ポリスチレン樹脂およびポリ塩化ビニル樹脂などが挙げられる。また、エネルギー線（たとえば紫外線）硬化樹脂に形状を転写する場合は、基材はガラスであってもよい。
【００２２】
光学シート５０（図１参照）は、導光部材２０の表面２０Ｂと対向して設けられ、例えば、拡散板，拡散シート，レンズフィルム，偏光分離シートなどを含んでいる。図１では、これら複数枚の光学シート５０のうちの一枚のみを記載している。このような光学シート５０を設けることにより、導光板２０から斜め方向に出射した光を正面方向に立ち上げることが可能となり、正面輝度をさらに高めることが可能となる。
【００２３】
光源１０からの出射光は、光入射面２０Ａから導光部材２０へ入射したのち、互いに対向する表面２０Ｂおよび表面２０Ｄにおいて反射する。
【００２４】
図２に示したように、光源１０は、例えば、固定部材（ホルダ）６０により保持されている。固定部材６０は、導光部材２０に沿って延在する平面部６２と、その端部において立設する壁部６１とを含み、高反射性ポリカーボネート樹脂，ポリアミド系樹脂（例えばクラレ社製「ジェネスタ（商品名）」）などにより構成される。
【００２５】
壁部６１は、光源１０を搭載した光源基板１２が取り付けられる部分であり、光入射面２０Ａに対向している。壁部６１の中央部には、各光源１０に対応して、外面６１Ａから内面６１Ｂまで貫通する開口６１Ｃが設けられている。本実施の形態では、光源１０を実装したパッケージ１１が開口６１Ｃに挿入された状態で、外面６１Ａに光源基板１２が固定されている。
【００２６】
平面部６２の上には反射部材４０と、導光部材２０と、光学シート５０とが順に載置されている。反射部材４０の端面および導光部材４０の光入射面２０Ａは、壁部６１に形成された係止部６１Ｄに当接している。
【００２７】
導光部材２０の表面２０Ｂの上に配置された光学シート５０は、その端部が枠状部材８０により保持されている。枠状部材８０は、光学シート５０を保持する枠状の樹脂部品、いわゆるミドルシャーシである。
【００２８】
［発光装置１の作用および効果］
この発光装置１では、光源１０から発した光は導光板２０の光入射面２０Ａに入射する。光入射面２０Ａから導光部材２０へ入射した光は、導光部材２０の内部を進行し、表面２０Ｂ、接続面２０Ｃおよび裏面２０Ｄから射出し、光学シート５０を通過して発光として観測される。
【００２９】
発光装置１では、線状あるいは棒状の透明な導光部材２０が複数配列されている。このため、一枚の導光板を用いたものと比較して透明材料の使用量を削減でき、軽量化および低コスト化を図ることができる。また、一の導光部材２０の端面（光入射面２０Ａ）と対向して一の光源１０を配置すれば、その導光部材２０を発光させることができる。このため、面内に離散的に光源を配置するいわゆる直下型の発光装置と比べ、発光装置１では光源１０の配置密度を低減することができる。その結果、面内においてより広い範囲で高い均一性を有する光を高効率で発することができる。そのうえ、低コスト化が可能であり、厚み方向の寸法の低減も図ることができる。
【００３０】
また、導光部材２０が、光学シート５０と対向する平面状の表面２０Ｂと、反射部材４０と対向する曲面状の裏面２０Ｄとを含むようにしたので、光入射面２０Ａから入射した光を主に裏面２０Ｄから射出することができる。このため、導光部材２０から光学シート５０へ直接照射される光の量よりも、導光部材２０から射出したのち反射部材４０で反射されて光学シート５０へ至る光の量を増加させることができる。このため、光学シート５０を透過して外部へ放射される光の強度を、より均質化させることができる。
【００３１】
また、発光装置１では、導光部材２０のスキャン駆動が可能である。すなわち、発光装置１を例えば液晶パネルのバックライトとして用いる場合、その液晶パネルの映像書き込みラインと同期するように複数の導光部材２０を順次点灯させることができる。これにより、動画性能の改善が期待できる。
【００３２】
（第１の変形例）
［導光部材２１の構成］
図４は、上記実施の形態の第１の変形例としての導光部材２１の要部断面構成を表したものであり、図３に対応するものでる。導光部材２１は、図４に示した形状のＹＺ断面を有する点を除き、他は導光部材２０と同様の構成を有する。
【００３３】
導光部材２１は、図４に示したように、Ｚ方向に沿った中心線２１ＣＬを中心として線対称の断面形状を有する。具体的には、導光部材２１は、中心線２１ＣＬ上に位置する谷部と、Ｙ方向における両側に対称配置された一対の頂部とを有する。光学シート５０と対向する一対の表面２１Ａは光学シート５０の表面に対する傾斜角の異なる２つの斜面２１Ａ１，２１Ａ２をそれぞれ含む。中心線２１ＣＬに対する斜面２１Ａ１の角度θ１は例えば４５°であり、中心線２１ＣＬに対する斜面２１Ａ２の角度θ２は例えば６０°である。また、導光部材２１における、反射部材４０と対向する裏面２１Ｂは反射部材４０の表面と平行であり、接続面２１Ｃと裏面２１Ｂとのなす角度θ３は例えば８０°である。幅２１Ｗは例えば５〜１０ｍｍ程度であり、高さ２１Ｔ１，２１Ｔ２，２１Ｔ３はそれぞれ例えば１，２，３ｍｍ程度である（図４参照）。
【００３４】
［導光部材２１の作用効果］
このような断面形状を有する導光部材２１では、その長手方向の端面（図示せず）から入射した光がその内部を進行し、主に接続面２０ＣからＹ方向へ射出されることとなる。このため、光学シート５０を透過して外部へ放射される光の強度を、より均質化させることができる。
【００３５】
（第２〜第６の変形例）
［発光装置１Ａ〜１Ｅの構成］
図５〜図９は、それぞれ、上記第１の実施の形態の第２〜第５の変形例としての表示装置１Ａ〜１Ｅにおける要部平面構成を模式的に表したものである。発光装置１Ａ〜１Ｅは、導光部材２０の代わりに導光部材２２〜２６をそれぞれ備えるようにしたことを除き、他は発光装置１と同様の構成を有する。
【００３６】
発光装置１では、図１に示したように、複数の光源１０を、Ｘ方向に延在する導光部材２０の同サイドに全て配置するようにした。これに対し、発光装置１Ａでは、図５に示したように、複数の光源１０を導光部材２０の左側および右側に交互に配置するようにした。こうした場合、発熱源となる光源１０を分散して配置することとなるので、放熱性の向上の点で有利となる。
【００３７】
また、発光装置１では、導光部材２０をＸ方向に直線状に延在するものとしたが、発光装置１Ｂでは、導光部材２０の平面形状をＵ字形状とした。こうすることで、光源１０の数を低減することができる。さらに、例えばレーザ光源などの、より強い発光強度の光源１０を採用すれば、例えば図７に示した発光装置１Ｃのように、導光部材２０を、一本のつづら折り状の平面形状を有するものとすることができる。
【００３８】
また、発光装置１では、その長辺方向（左右方向）に沿って導光部材２０が延在するものとしたが、例えば発光装置１Ｄ，１Ｅのようにその短辺方向（上下方向）に沿って導光部材２０が延在するものであってもよい。例えばより大きなディスプレイのバックライトとして使用される際、光源光の強度が画面の長辺方向では十分に得られない場合に好適である。
【００３９】
＜第２の実施の形態＞
［発光装置２の構成］
図１０は、本技術の第２の実施の形態としての発光装置２における要部断面構成を表したものであり、図３に対応するものである。この発光装置２は、導光部材２０と反射部材４０との間に、導光部材２０の裏面２０Ｄと対向して光源１０が配置されたものである。この点を除き、他は上記第１の実施の形態の発光装置１と同様の構成を有する。光源１０は、例えば導光部材２０の幅方向（Ｙ方向）の中央の位置に配置されるとよい。また、光源１０は、導光部材２０の長手方向に沿って複数設けられていてもよい。導光部材２０は屈折力を有しており、側面である裏面２０Ｄの一部分から入射した光が再び裏面２０Ｄなどから射出される。
【００４０】
［発光装置２の作用効果］
このような発光装置２においても、上記第１の実施の形態の発光装置１と同様の機能を発揮することができる。また、一の導光部材２０に対して任意の数の光源１０を配置することができるので、発光装置２を大型化した場合であっても十分な発光光量を得ることができる。
【００４１】
＜第３の実施の形態＞
図１１は、本技術の第３の実施の形態に係る表示装置１０１の外観を表したものである。この表示装置１０１は、発光装置１を備え、例えば薄型テレビジョン装置として用いられるものであり、画像表示のための平板状の本体部１０２をスタンド１０３により支持した構成を有している。なお、表示装置１０１は、スタンド１０３を本体部１０２に取付けた状態で、床，棚または台などの水平面に載置して据置型として用いられるが、スタンド１０３を本体部１０２から取り外した状態で壁掛型として用いることも可能である。
【００４２】
図１２は、図１１に示した本体部１０２を分解して表したものである。本体部１０２は、例えば、前面側（視聴者側）から、前部外装部材（ベゼル）１１１，パネルモジュール１１２および後部外装部材（リアカバー）１１３をこの順に有している。前部外装部材１１１は、パネルモジュール１１２の前面周縁部を覆う額縁状の部材であり、下方には一対のスピーカー１１４が配置されている。パネルモジュール１１２は前部外装部材１１１に固定され、その背面には電源基板１１５および信号基板１１６が実装されると共に取付金具１１７が固定されている。取付金具１１７は、壁掛けブラケットの取付け、基板等の取付けおよびスタンド１０３の取付けのためのものである。後部外装部材１１３は、パネルモジュール１１２の背面および側面を被覆している。
【００４３】
図１３は、図１２に示したパネルモジュール１１２を分解して表したものである。パネルモジュール１１２は、例えば、前面側（視聴者側）から、前部筐体（トップシャーシ）１２１，液晶パネル１２２，枠状部材（ミドルシャーシ）８０，光学シート５０，導光板２０，反射部材４０，後部筐体（バックシャーシ）１２４，バランサー基板１２５，バランサーカバー１２６およびタイミングコントローラ基板１２７をこの順に有している。
【００４４】
前部筐体１２１は、液晶パネル１２２の前面周縁部を覆う枠状の金属部品である。液晶パネル１２２は、例えば、液晶セル１２２Ａと、ソース基板１２２Ｂと、これらを接続するＣＯＦ（Chip On Film）などの可撓性基板１２２Ｃとを有している。枠状部材１２３は、液晶パネル１２２および光学シート５０を保持する枠状の樹脂部品である。後部筐体１２４は、液晶パネル１２２，中間筐体１２３および発光装置１を収容する、鉄（Ｆｅ）等よりなる金属部品である。バランサー基板１２５は、発光装置１を制御するものであり、図１３に示したように、後部筐体１２４の背面に実装されると共にバランサーカバー１２６により覆われている。タイミングコントローラ基板１２７もまた、後部筐体１２４の背面に実装されている。
【００４５】
この表示装置１０１では、発光装置１からの光が液晶パネル１２２により選択的に透過されることにより、画像表示が行われる。ここでは、第１の実施の形態で説明したように、面内の色の均一性が向上した発光装置１を備えているので、表示装置１０１の表示品質が向上する。
【００４６】
なお、上記実施の形態では、表示装置１０１が第１の実施の形態に係る発光装置１を備えている場合について説明したが、表示装置１０１は、発光装置１に代えて、第１の実施の形態の変形例である発光装置１Ａ〜１Ｅや、第２の実施の形態に係る発光装置２を備えていてもよい。
【００４７】
＜表示装置の適用例＞
以下、上記のような表示装置１０１の電子機器への適用例について説明する。電子機器としては、例えばテレビジョン装置，デジタルカメラ，ノート型パーソナルコンピュータ、携帯電話等の携帯端末装置あるいはビデオカメラ等が挙げられる。言い換えると、上記表示装置は、外部から入力された映像信号あるいは内部で生成した映像信号を、画像あるいは映像として表示するあらゆる分野の電子機器に適用することが可能である。
【００４８】
［適用例１］
図１４Ａは、上記実施の形態の表示装置１０１が適用される電子ブックの外観を表したものである。図１４Ｂは、上記実施の形態の表示装置１０１が適用される他の電子ブックの外観を表したものである。これらの電子ブックは、いずれも、例えば表示部２１０および非表示部２２０を有しており、この表示部２１０が上記実施の形態の表示装置１０１により構成されている。
【００４９】
［適用例２］
図１５は、上記実施の形態の表示装置１０１が適用されるスマートフォンの外観を表したものである。このスマートフォンは、例えば、表示部２３０および非表示部２４０を有しており、この表示部２３０が上記実施の形態の表示装置１０１により構成されている。
【００５０】
［適用例３］
図１６Ａおよび図１６Ｂは、上記実施の形態の表示装置１０１が適用されるデジタルカメラの外観を表したものである。図１６Ａは、そのデジタルカメラをその前方（物体側）から眺めた外観を表し、図１６Ｂは、そのデジタルカメラをその後方（像側）から眺めた外観を表す。このデジタルカメラは、例えば、フラッシュ用の発光部４１０、表示部４２０、メニュースイッチ４３０およびシャッターボタン４４０を有しており、この表示部４２０が上記実施の形態の表示装置１０１により構成されている。
【００５１】
［適用例４］
図１７は、上記実施の形態の表示装置１０１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、この表示部５３０が上記実施の形態の表示装置１０１により構成されている。
【００５２】
［適用例５］
図１８は、上記実施の形態の表示装置１０１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。そして、この表示部６４０が上記実施の形態の表示装置１０１により構成されている。
【００５３】
［適用例６］
図１９Ａおよび図１９Ｂは、上記実施の形態の表示装置１０１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そして、これらのうちのディスプレイ７４０またはサブディスプレイ７５０が、上記実施の形態の表示装置１０１により構成されている。
【００５４】
＜照明装置の適用例＞
図２０および図２１は、上記実施の形態の発光装置１，１Ａ〜１Ｅ，２が適用される卓上用の照明装置の外観を表したものである。この照明装置は、例えば、基台８４１に設けられた支柱８４２に、照明部８４３を取り付けたものであり、この照明部８４３は、上記第１および第２の実施の形態に係る発光装置１，１Ａ〜１Ｅ，２のいずれかにより構成されている。照明部８４３は、導光板２０を湾曲形状とすることにより、図２０に示した筒状、または図２１に示した曲面状など、任意の形状とすることが可能である。
【００５５】
図２２は、上記実施の形態の発光装置１，１Ａ〜１Ｅ，２が適用される室内用の照明装置の外観を表したものである。この照明装置は、例えば、上記実施の形態に係る発光装置１，１Ａ〜１Ｅ，２のいずれかにより構成された照明部８４４を有している。照明部８４４は、建造物の天井８５０Ａに適宜の個数および間隔で配置されている。なお、照明部８４４は、用途に応じて、天井８５０Ａに限らず、壁８５０Ｂまたは床（図示せず）など任意の場所に設置することが可能である。
【００５６】
これらの照明装置では、発光装置１からの光により、照明が行われる。ここでは、第１の実施の形態で説明したように、面内の発光強度の均一性が向上した発光装置１，１Ａ〜１Ｅ，２を備えているので、照明品質が向上する。
【００５７】
＜実験例＞
（実験例１−１）
上記第１の実施の形態に係る発光装置１（図１〜３）について、発光強度の分布の評価を行った。ここでは、導光部材２０をＰＭＭＡ（屈折率ｎ１＝１．４９）により構成し、長径Ｗを２２ｍｍ、短径Ｒを６ｍｍ、Ｘ方向の長さを６００ｍｍとした。但し、導光部材２０の本数は１本のみとした。その結果を図２３に示す。また、反射部材４０と光学シート５０との間隔を１０ｍｍとした。
【００５８】
（実験例１−２）
導光部材２０の代わりに直径５ｍｍの円柱状の導光部材を用いたことを除き、他は発光装置１と同じ構成の発光装置について同様の評価を行った。その結果を参考例として図２４に示す。
【００５９】
図２３と図２４との比較から、実験例１−１では実験例１−２よりも全体的に発光強度が高く、かつ、均質であることが確認できた。また、より広い範囲に亘って照射が可能でることも確認できた。
【００６０】
（実験例２−１）
ここでは６本の導光部材２０を５０ｍｍ間隔で配置したことを除き、他は実験例１−１と同じ構成として同様の評価を行った。その結果を図２５に示す。
【００６１】
（実験例２−２）
導光部材２０の代わりに直径５ｍｍの円柱状の導光部材を用いたことを除き、他は実験例２−１と同じ構成の発光装置について同様の評価を行った。その結果を参考例として図２６に示す。
【００６２】
図２５と図２６との比較から、実験例２−１では実験例２−２よりも全体的に発光強度が高く、かつ、均質であることが確認できた。また、より広い範囲に亘って照射が可能でることも確認できた。
【００６３】
以上、実施の形態を挙げて本開示を説明したが、本開示は上記実施の形態に限定されるものではなく、種々の変形が可能である。例えば、上記実施の形態において説明した各層の材料および厚みなどは限定されるものではなく、他の材料および厚みとしてもよい。
【００６４】
また、上記実施の形態では、白色ＬＥＤを光源として用いる場合について説明したが、本技術はこれに限定されるものではない。例えば光源として青色ＬＥＤを用いると共に、蛍光体や量子ドットを含む波長変換部を光源と導光部材との間に配置するようにしてもよい。
【００６５】
さらに、例えば、上記実施の形態において発光装置１，１Ａ〜１Ｅ，２、表示装置１０１（テレビジョン装置）の構成を具体的に挙げて説明したが、全ての構成要素を備える必要はなく、また、他の構成要素を備えていてもよい。
【００６６】
なお、本明細書中に記載された効果はあくまで例示であってその記載に限定されるものではなく、他の効果があってもよい。また、本技術は以下のような構成を取り得るものである。
（１）
光源と、
前記光源からの光を発する線状の透明導光部材と
を有する発光ユニット。
（２）
前記透明導光部材は、その延在方向と交差する端面を含み、
前記光源は、前記透明導光部材の端面と対向して配置されている
上記（１）記載の発光ユニット。
（３）
前記透明導光部材は屈折力を有し、前記端面から入射した光が自らの延在方向に沿った側面から射出される
上記（２）記載の発光ユニット。
（４）
前記透明導光部材は、その延在方向に沿った側面を含み、
前記光源は、前記透明導光部材の側面と対向して配置されている
上記（１）記載の発光ユニット。
（５）
前記透明導光部材は屈折力を有し、前記側面から入射した光が再び前記側面から射出される
上記（４）記載の発光ユニット。
（６）
前記透明導光部材は、その延在方向と交差する断面が円形以外の形状を有するものである
上記（１）〜（５）のいずれか１つに記載の発光ユニット。
（７）
前記断面の形状は、一対の頂部と前記一対の頂部の間に挟まれた谷部とを含む
上記（６）記載の発光ユニット。
（８）
前記断面の形状は、直線部と曲線部とを含む
上記（６）記載の発光ユニット。
（９）
基板と、
前記基板上に設けられ、光源と前記光源からの光を発する線状の透明導光部材とを有する１以上の発光ユニットと
を備えた発光装置。
（１０）
前記透明導光部材における長手方向と交差する断面は、一対の頂部と前記一対の頂部の間に挟まれた谷部とを含む形状、または直線部と曲線部とを含む形状である
上記（９）記載の発光装置。
（１１）
前記曲線部は前記基板と対向している
上記（１０）記載の発光装置。
（１２）
前記基板における前記発光ユニットと対向する上面は反射面である
上記（９）から（１１）のいずれか１つに記載の発光装置。
（１３）
前記透明導光部材は、その延在方向と交差する端面を含み、
前記光源は、前記透明導光部材の端面と対向して配置されている
上記（９）から（１２）のいずれか１つに記載の発光装置。
（１４）
前記透明導光部材は屈折力を有し、前記端面から入射した光が自らの延在方向に沿った側面から射出される
上記（１３）記載の発光装置。
（１５）
液晶パネルと、前記液晶パネルに対し光を照射する発光装置とを備え、
前記発光装置は、
基板と、
前記基板上に設けられ、光源と前記光源からの光を発する線状の透明導光部材とを有する１以上の発光ユニットと
を有する
表示装置。
（１６）
発光装置を備え、
前記発光装置は、
基板と、
前記基板上に設けられ、光源と前記光源からの光を発する線状の透明導光部材とを有する１以上の発光ユニットと
を有する
照明装置。
【符号の説明】
【００６７】
１，１Ａ〜１Ｅ，２…発光装置、１０…光源、１０Ａ…発光中心、１１…パッケージ、１２…光源基板、２０，２１…導光部材、２０Ａ…光入射面、２０Ｂ…表面、２０Ｃ…接続面、２０Ｄ…裏面、４０…反射部材、４１…端部、５０…光学シート、６０…固定部材、８０…枠状部材、１０１…表示装置。
【図１】
2015128011.tif 000003
【図２】
2015128011.tif 000004
【図３】
2015128011.tif 000005
【図４】
2015128011.tif 000006
【図５】
2015128011.tif 000007
【図６】
2015128011.tif 000008
【図７】
2015128011.tif 000009
【図８】
2015128011.tif 000010
【図９】
2015128011.tif 000011
【図１０】
2015128011.tif 000012
【図１１】
2015128011.tif 000013
【図１２】
2015128011.tif 000014
【図１３】
2015128011.tif 000015
【図１４Ａ】
2015128011.tif 000016
【図１４Ｂ】
2015128011.tif 000017
【図１５】
2015128011.tif 000018
【図１６Ａ】
2015128011.tif 000019
【図１６Ｂ】
2015128011.tif 000020
【図１７】
2015128011.tif 000021
【図１８】
2015128011.tif 000022
【図１９Ａ】
2015128011.tif 000023
【図１９Ｂ】
2015128011.tif 000024
【図２０】
2015128011.tif 000025
【図２１】
2015128011.tif 000026
【図２２】
2015128011.tif 000027
【図２３】
2015128011.tif 000028
【図２４】
2015128011.tif 000029
【図２５】
2015128011.tif 000030
【図２６】
2015128011.tif 000031